(57)【特許請求の範囲】
【請求項１】
血糖計から血糖値の測定データと前記血糖計の第一設定情報をダウンロードするための通信処理部と、
前記測定データを音声合成にて読み上げる音声読み上げ処理部と、
前記第一設定情報に含まれている血糖計音声フラグが論理の真であることを検出したら、前記測定データを前記音声読み上げ処理部に渡す制御部と
を具備する血糖値管理装置。
【請求項２】
更に、
前記通信処理部に接続されて前記血糖計と非接触にて通信を行うための非接触通信インターフェースを備え、
前記通信処理部は、前記血糖計が前記非接触通信インターフェースに近接したことを検出すると前記血糖計の設定情報をダウンロードする、
請求項１記載の血糖値管理装置。
【請求項３】
更に、
前記血糖値管理装置の第二設定情報を備え、
前記制御部は、前記第一設定情報に含まれている血糖計音声フラグが論理の真であり、且つ前記第二設定情報に含まれている管理側音声フラグが論理の真であることを検出したら、前記測定データを前記音声読み上げ処理部に渡す、
請求項１又は２記載の血糖値管理装置。
【請求項４】
コンピュータを、
血糖計から血糖値の測定データと前記血糖計の第一設定情報をダウンロードするための通信処理部と、
前記測定データを音声合成にて読み上げる音声読み上げ処理部と、
前記第一設定情報に含まれている血糖計音声フラグが論理の真であることを検出したら、前記測定データを前記音声読み上げ処理部に渡す制御部と
を具備する血糖値管理装置として動作させるための、血糖値管理プログラム。
【発明の詳細な説明】
【技術分野】
【０００１】
本発明は、血糖値管理装置及び血糖値管理プログラムに適用して好適な技術に関する。
より詳細には、血糖計が計測した血糖値を音声で読み上げる機能を備える、血糖値管理装置及び血糖値管理プログラムに関する。
【背景技術】
【０００２】
周知のように、糖尿病は膵臓のインスリン分泌異常に起因する。そのため、糖尿病患者は食事前に血糖値を測定し、その値に応じてインスリンを投与する必要がある。
従来、家庭内で患者或はその家族が血糖値を簡便に測定するために、出願人は、小型化した血糖値測定装置（以下「血糖計」）を開発し、製造販売している。また、出願人は病棟向けに複数の患者に対応可能な血糖計の開発を進めている。
【０００３】
更に、出願人は計測した血糖値を音声で読み上げる機能を備えた視覚障害者用の血糖計も製造販売している。
なお、本発明に関係すると思われる先行技術文献を特許文献１として記す。
【先行技術文献】
【特許文献】
【０００４】
【特許文献１】特開２００７−１０３１７号公報
【発明の概要】
【発明が解決しようとする課題】
【０００５】
血糖計は小型の組み込みマイコンの機器である。特に、個人向けの血糖計は低コスト化及び低消費電力化を優先して開発されているので、搭載されているマイコンの演算能力は、血糖値を測定するために必要最小限の演算能力に留められている。
これに対し、血糖値を音声で読み上げる、という処理は、音声合成処理という演算処理を必要とする。また、マイコンに接続されるオーディオインターフェースと、これに接続されるスピーカを駆動するための電力も要求される。つまり、音声を発声させる処理を追加すると、マイコンの規模が大きくなり、電池の容量も増やさなければならない。つまり、必要最小限の筐体とマイコンで構成されている血糖計のままでは、音声合成処理を追加することができないので、新規にマイコンを選定し直し、電池を含めた筐体設計をやり直さなければならない。
【０００６】
本発明はかかる点に鑑みてなされたものであり、血糖計が計測した血糖値を音声で読み上げる機能を備える、血糖値管理装置及び血糖値管理プログラムを提供することを目的とする。
【課題を解決するための手段】
【０００７】
上記課題を解決するために、本発明の血糖値管理装置は、血糖計から血糖値の測定データと血糖計の第一設定情報をダウンロードするための通信処理部と、測定データを音声合成にて読み上げる音声読み上げ処理部と、第一設定情報に含まれている血糖計音声フラグが論理の真であることを検出したら、測定データを音声読み上げ処理部に渡す制御部とを具備する。
【０００８】
血糖値管理装置に血糖計からダウンロードした測定データを読み上げるための音声読み上げ処理部を設ける。制御部は、血糖計内部の設定情報に含まれている血糖計音声フラグが論理の真であれば、測定データを読み上げるために音声読み上げ処理部に測定データを渡す。
【発明の効果】
【０００９】
本発明により、血糖計が計測した血糖値を音声で読み上げる機能を備える、血糖値管理装置及び血糖値管理プログラムを提供できる。
【図面の簡単な説明】
【００１０】
【図１】本発明の実施形態の例である、血糖計の外観斜視図である。
【図２】血糖計の内部ブロック図である。
【図３】血糖計の機能ブロック図である。
【図４】血糖値管理装置の機能ブロック図である。
【図５】血糖計の全体処理の流れを説明するフローチャートである。
【図６】血糖値管理装置の全体処理の流れを説明するフローチャートである。
【図７】血糖値管理装置の通信処理の流れを説明するフローチャートである。
【発明を実施するための形態】
【００１１】
以下、本発明の実施の形態を、図１乃至図７を参照して説明する。
【００１２】
図１は、本発明の実施形態の例である、血糖計及び血糖値管理装置の外観図である。
血糖計１０１は、医師や看護婦或いは本人等が、携帯電話のように手に持って操作して、血糖値を計測するための携帯型機器であり、このために大人の片手で容易に持てる形状及び重量で形成されている。
【００１３】
血糖計１０１の筐体１０２は、細長い合成樹脂の容器である。筐体１０２の長手方向の先端には、血糖値等を測定する金属でできた円筒形状のチップ装着部１０３が設けられている。チップ装着部１０３の内部には、後述するＬＥＤとフォトトランジスタが内蔵されている。
チップ装着部１０３は図示しない血糖測定チップ（以下「測定チップ」）の着脱が可能なように形成されている。使用済みの測定チップは、図示しないイジェクトレバーを操作することでチップ装着部１０３から取り外すことができる。
また、筐体１０２の前面には測定結果や確認事項等を表示する、ＬＣＤディスプレイ１０４が設けられている。ＬＣＤディスプレイ１０４の側には、電源スイッチ１０５と操作ボタン１０６が設けられている。
血糖計１０１の筐体１０２の裏面には、計測した血糖値データ等の送受信を行うための、後述するＩＣカードインターフェース（以下「ＩＣカードＩ／Ｆ」）が埋め込まれている。
更に、血糖計１０１の内部には、この他に筐体１０２に内蔵される図示しないリチウムイオンバッテリや、計測した血糖値データ等の送受信を行う図示しないシリアルインターフェース等を有するが、本発明に直接的には関係しないので詳細は割愛する。
【００１４】
一方、血糖値管理装置１０７は、周知のパソコンに血糖値管理プログラムが読み込まれて実行されることで構成される。血糖値管理装置１０７には血糖計１０１から測定データ及び設定情報を受信するためのＩＣカードリーダ１０８が周知のＵＳＢケーブル１０９を通じて接続されている。
【００１５】
［血糖計１０１のハードウェア］
図２は、血糖計１０１の内部ブロック図である。
血糖計１０１は、マイコンよりなるシステムであり、ＣＰＵ２０２、ＲＯＭ２０３及びＲＡＭ２０４と、それらを接続するバス２０５から構成されている。バス２０５には、上記の構成以外に、主にデータ入力機能を提供する部分と、データ出力機能を提供する部分も接続されている。
【００１６】
血糖計１０１のデータ入力機能に該当する部位には、血糖計１０１にとって重要な血糖値の測定データを得るためのフォトトランジスタ２０６が接続されるＡ／Ｄ変換器２０７と、リアルタイムクロック（以下「ＲＴＣ」）２０８、そして操作ボタン１０６である操作部２０９がある。
【００１７】
フォトトランジスタ２０６はＬＥＤ２１０と共にチップ装着部１０３に内蔵される。
ＬＥＤ２１０には、ＬＥＤ２１０を発光駆動するためのＤ／Ａ変換器２１１が接続されている。
ＬＥＤ２１０は、適切な強度の光を測定チップ内の試験紙に照射する必要があるので、予め後述する不揮発性ストレージ２１２に記憶してある発光強度データに基づいて発光するように制御される。
つまり、血糖計１０１を構成するマイコンを動作させる、ＲＯＭ２０３に格納されているプログラムは、発光強度データを不揮発性ストレージ２１２から読み出し、Ｄ／Ａ変換器２１１でアナログの電圧に変換して、ＬＥＤ２１０を発光駆動する。
【００１８】
ＬＥＤ２１０が発する光は、測定チップの試験紙に照射され、試験紙から発される反射光はフォトトランジスタ２０６を照射する。
フォトトランジスタ２０６が受光した光の強度によって変化する、フォトトランジスタ２０６のコレクタ−エミッタ間電圧（信号電圧）は、Ａ／Ｄ変換器２０７４１３によって数値データに変換される。そして、この変換された数値データがＲＡＭ２０４及び不揮発性ストレージ２１２の所定領域に記録される。
【００１９】
ＲＴＣ２０８は周知の日時データ出力機能を提供するＩＣであり、多くのマイコンやパソコン等に標準搭載されているものである。マイコンの種類によってはＲＴＣ２０８を内蔵するものもある。
本発明の実施の形態の血糖計１０１では、測定して得た血糖値と、血糖値を測定した時点の日時情報を紐付けて、不揮発性ストレージ２１２に記憶する必要があるので、ＲＴＣ２０８を明示している。
【００２０】
血糖計１０１のデータ出力機能としては、ＬＣＤディスプレイ１０４である表示部２１３がある。
表示部２１３には、ＲＯＭ２０３に格納され、ＣＰＵ２０２によって実行されるプログラムによって、様々な画面が表示される。
【００２１】
血糖計１０１内部のマイコンを構成する要素のうち、データ入出力機能の他に、データ記憶機能を提供する、ＥＥＰＲＯＭよりなる不揮発性ストレージ２１２がある。この不揮発性ストレージ２１２には、患者の血糖値や血糖計１０１の設定データ等が格納される。不揮発性ストレージ２１２に格納されたデータは、ＩＣカードインターフェース（以下「ＩＣカードＩ／Ｆ」）２１４を通じて、外部機器とやり取りされる。ＩＣカードＩ／Ｆ２１４は、電磁波を用いて非接触で通信を行うためのインターフェースであり、例えばＦｅｌｉＣａ（登録商標）である。したがって、ＩＣカードＩ／Ｆ２１４は非接触通信インターフェースともいえる。
【００２２】
［血糖計１０１のソフトウェア］
図３は血糖計１０１の機能ブロック図である。マイコンが提供する機能に着目した図である。
ＬＥＤ２１０は、制御部３０１によってＤ／Ａ変換器２１１を通じて発光駆動される。
ＬＥＤ２１０が発する光は、測定チップの試験紙３０２に照射され、試験紙３０２から発される反射光はフォトトランジスタ２０６を照射する。
フォトトランジスタ２０６のコレクタには、分圧抵抗Ｒ３０３を通じて電源電圧＋Ｖｃｃが印加されている。フォトトランジスタ２０６は測定チップ内部の試験紙３０２からＬＥＤ２１０の反射光を受光すると、エミッタ−コレクタ間の抵抗値が変化する。このエミッタ−コレクタ間電圧はＡ／Ｄ変換器２０７でデジタルデータに変換される。
【００２３】
Ａ／Ｄ変換器２０７から出力される、フォトトランジスタ２０６のエミッタ−コレクタ間電圧に基づくデジタルデータは、一旦制御部３０１に入力される。制御部３０１は、Ａ／Ｄ変換器２０７から測定チップが装着されたことを示すデータが出力されたことを検出すると、血糖計１０１全体の動作モードを待機モードから測定モードに切り替える。そして、Ａ／Ｄ変換器２０７が出力するデータを測定処理部３０４に渡す。
測定処理部３０４はデジタルデータに演算処理を施して血糖値データに変換して、制御部３０１に返す。制御部３０１は測定処理部３０４から得た血糖値データをＲＴＣ２０８から得た日時情報と共に不揮発性ストレージ２１２の測定データ領域に測定データ３０５として書き出すと共に、血糖値データと日時情報を表示部２１３に表示する。
【００２４】
ユーザによって操作部２０９が操作されると、操作部２０９が出力する操作情報が制御部３０１に入力される。制御部３０１は操作部２０９から操作情報が出力されたことを検出すると、血糖計１０１全体の動作モードを待機モードから設定モードに切り替える。そして、操作情報を設定処理部３０６に渡す。設定処理部３０６は表示部２１３に設定メニュー画面を表示して、操作情報に従って表示部２１３の表示内容を変更し、操作情報に従って設定情報３０７を不揮発性ストレージ２１２の設定情報領域に書き出す。
【００２５】
設定情報３０７は多種多様な情報を含むが、本実施形態に関する情報としては、「血糖計音声フラグ」と「音声読み上げ設定」がある。
血糖計音声フラグは、論理の「真」又は「偽」が設定されるフラグであり、「真」である場合、血糖値管理装置１０７に測定データを音声にて読み上げさせることを許可することを意味する。
音声読み上げ設定は、例えば１バイト或は数バイトの情報で構成され、「血糖値管理装置１０７に記録される最新の血糖値１件のみを読み上げる」か、「血糖値管理装置１０７に記録される最新の血糖値から所定の件数を読み上げる」か、「血糖値管理装置１０７に記録されるか否かに関わらず最新の血糖値１件のみを読み上げる」か、「血糖値管理装置１０７に記録されるか否かに関わらず最新の血糖値から所定の件数を読み上げる」かのいずれかと、読み上げる件数を設定する。
【００２６】
ＩＣカードＩ／Ｆ２１４が接続される通信処理部３０８は、血糖値管理装置１０７のＩＣカードリーダ１０８の存在を検出すると、通信開始の旨を制御部３０１に伝達する。制御部３０１は通信処理部３０８から通信開始の旨の情報を得ると、血糖計１０１全体の動作モードを待機モードから通信モードに切り替える。そして、不揮発性ストレージ２１２の測定データ領域内の測定データ３０５と、不揮発性ストレージ２１２の設定情報領域内の設定情報３０７を、通信処理部３０８を通じて血糖値管理装置１０７へ送信する。
【００２７】
つまり、制御部３０１は、Ａ／Ｄ変換器２０７、操作部２０９及び通信処理部３０８を常時監視し、これらのいずれかからイベントが生じたことを検出すると、それらイベントに応じた処理を行う。制御部３０１は、Ａ／Ｄ変換器２０７からデータを受信したら測定処理部３０４にデータを渡し、操作部２０９から操作情報を受信したら設定処理部３０６に操作情報を渡し、通信処理部３０８から通信開始の旨の情報を受信したら測定データ３０５及び設定情報３０７を血糖値管理装置１０７へ送信する。
【００２８】
［血糖値管理装置１０７のソフトウェア］
図４は血糖値管理装置１０７の機能ブロック図である。パソコンに血糖値管理プログラムを読み込ませて実行することで、パソコンが血糖値管理装置１０７として機能する際の機能ブロックを表す図である。
ユーザによって操作部４０１が操作されると、操作情報が制御部４０２に入力される。
制御部４０２は、操作部４０１から操作情報が出力されたことを検出すると、操作情報の内容に応じて、血糖値管理装置１０７の動作モードを変更する。
操作情報の内容が各種設定情報の変更を要求するコマンドであれば、血糖値管理装置１０７の動作モードを待機モードから設定モードに切り替えて、操作情報を設定処理部４０３に渡す。
また、操作情報の内容が患者の血糖値トレンドをグラフ表示する等の、各種設定情報の変更以外の処理を要求するコマンドであれば、血糖値管理装置１０７の動作モードを待機モードからその他処理モードに切り替えて、操作情報をその他処理部４０４に渡す。
設定処理部４０３又はその他処理部４０４は、操作情報に応じて表示部４０５に所定の表示画面を表示させる。
設定処理部４０３は、ユーザによる操作の結果として、図示しない不揮発性ストレージに設定情報４０６を保存する。
【００２９】
設定情報４０６は多種多様な情報を含むが、本実施形態に関する情報としては、「管理側音声フラグ」がある。
管理側音声フラグは、論理の「真」又は「偽」が設定されるフラグであり、「真」である場合、血糖計１０１の血糖計音声フラグが真であれば、血糖計１０１の測定データ３０５を音声にて読み上げることを意味する。
【００３０】
ＩＣカードリーダ１０８が接続される通信処理部４０７は、血糖計１０１のＩＣカードＩ／Ｆ２１４の存在を検出すると、通信開始の旨を制御部４０２に伝達する。制御部４０２は通信処理部４０７から通信開始の旨の情報を得ると、血糖値管理装置１０７の動作モードを待機モードから通信モードに切り替える。そして、血糖計１０１から受信した血糖値データを、図示しない不揮発性ストレージに設けられている測定値テーブル４０８に書き出すと共に、血糖計１０１から受信した設定情報４０６を一時記憶領域４０９内に書き出す。
【００３１】
制御部４０２は更に、血糖計１０１から受信した設定情報３０７の中に含まれている音声読み上げフラグが、論理の「真」であるか否かを確認する。もし、「真」であれば、更に血糖値管理装置１０７の設定情報の中に含まれている音声読み上げフラグが、論理の「真」であるか否かを確認する。そして、「真」であれば、血糖計１０１から受信した設定情報３０７の中に含まれている音声読み上げ設定情報に基づいて、血糖計１０１から受信した測定データ３０５のうちの、必要な部分の音声読み上げを実行する。具体的には、測定データ３０５の音声読み上げを実行する部分を抜粋して、音声読み上げのためのテキストデータを作成して、音声読み上げ処理部４１０に渡す。音声読み上げ処理部４１０は、制御部４０２から受け取ったテキストデータに基づいて音声データを作成し、オーディオインターフェース（以下「オーディオＩ／Ｆ」）４１１に出力する。オーディオＩ／Ｆ４１１はデジタルの音声データをＤ／Ａ変換した後、電力増幅を行い、スピーカ４１２を駆動する。こうして、測定データ３０５の音声読み上げが実行される。
【００３２】
［動作］
図５は、血糖計１０１の全体処理の流れを説明するフローチャートである。
処理を開始すると（Ｓ５０１）、制御部３０１は、通信処理部３０８から通信開始の旨の情報が来たか否かを確認する（Ｓ５０２）。通信処理部３０８から通信開始の旨の情報が来たならば（Ｓ５０２のＹＥＳ）、所定のプロトコルに従って血糖値管理装置１０７と通信処理を行い、測定データ３０５及び設定情報３０７を血糖値管理装置１０７に送信して（Ｓ５０３）、一連の処理を終了する（Ｓ５０４）。
【００３３】
ステップＳ５０２で、通信処理部３０８から通信開始の旨の情報が来ていないならば（Ｓ５０２のＮＯ）、制御部３０１は次に、操作部２０９から操作情報が来たか否かを確認する（Ｓ５０５）。操作部２０９から操作情報が来たならば（Ｓ５０５のＹＥＳ）、制御部３０１は操作情報を設定処理部３０６に渡して、血糖計１０１の各種設定を遂行する、設定処理を行う（Ｓ５０６）。そして、一連の処理を終了する（Ｓ５０４）。
【００３４】
ステップＳ５０５で、操作部２０９から操作情報が来ていないならば（Ｓ５０５のＮＯ）、制御部３０１は次に、Ａ／Ｄ変換器２０７から測定チップが装着されたことを示すデータが出力されたか否かを確認する（Ｓ５０７）。Ａ／Ｄ変換器２０７から測定チップが装着されたことを示すデータが出力されたならば（Ｓ５０７のＹＥＳ）、制御部３０１はＡ／Ｄ変換器２０７から出力されるデータを測定処理部３０４に渡して、血糖値の測定を遂行する測定処理を行う（Ｓ５０８）。そして、一連の処理を終了する（Ｓ５０４）。
【００３５】
ステップＳ５０４で終了するこの処理フローは、すぐにステップＳ５０１から繰り返し実行される。つまり、血糖計１０１は電源が投入されている状態においては、図５の処理フローを常時繰り返す。言い換えれば、制御部３０１は、通信処理部３０８、操作部２０９及びＡ／Ｄ変換器２０７をポーリングして、イベントが発生したらそのイベントに対応する処理を実行する。
【００３６】
図６は、血糖値管理装置１０７の全体処理の流れを説明するフローチャートである。
処理を開始すると（Ｓ６０１）、制御部４０２は、通信処理部４０７から通信開始の旨の情報が来たか否かを確認する（Ｓ６０２）。通信処理部４０７から通信開始の旨の情報が来たならば（Ｓ６０２のＹＥＳ）、所定のプロトコルに従って血糖計１０１と通信処理を行い、測定データ３０５及び設定情報３０７を血糖計１０１から受信して（Ｓ６０３）、一連の処理を終了する（Ｓ６０４）。
【００３７】
ステップＳ６０２で、通信処理部４０７から通信開始の旨の情報が来ていないならば（Ｓ６０２のＮＯ）、制御部４０２は次に、操作部４０１から操作情報が来たか否かを確認する（Ｓ６０５）。操作部４０１から操作情報が来たならば（Ｓ６０５のＹＥＳ）、制御部４０２は操作情報の内容に応じて、設定処理或はその他処理のいずれかを、設定処理部４０３又はその他処理部４０４のいずれかに行わせる（Ｓ６０６）。制御部４０２は、操作情報が設定処理の内容であれば、操作情報を設定処理部４０３に渡して、設定処理部４０３に血糖値管理装置１０７の各種設定を遂行する設定処理を行わせる。また、制御部４０２は、操作情報が設定処理以外の内容であれば、操作情報をその他処理部４０４に渡して、設定処理部４０３に操作情報をその他処理部４０４に渡して、測定値テーブル４０８から所定の患者の血糖値データを読みだして血糖値トレンドを表すグラフを表示させる等のその他処理を行わせる。
そして、一連の処理を終了する（Ｓ６０４）。
【００３８】
ステップＳ６０４で終了するこの処理フローは、すぐにステップＳ６０１から繰り返し実行される。つまり、血糖値管理装置１０７は血糖値管理プログラムが動作している状態においては、図６の処理フローを常時繰り返す。言い換えれば、制御部４０２は、通信処理部４０７及び操作部４０１をポーリングして、イベントが発生したらそのイベントに対応する処理を実行する。
【００３９】
図７は、血糖値管理装置１０７の通信処理の流れを説明するフローチャートである。図６のステップＳ６０３の詳細である。
処理を開始すると（Ｓ７０１）、制御部はＩＣカードリーダ１０８及び通信処理部４０７を通じて、血糖計１０１から測定データ３０５及び設定情報３０７を受信する（Ｓ７０２）。次に、制御部４０２は、測定データ３０５を測定値テーブル４０８に、設定情報３０７は一時記憶領域４０９に、それぞれ記録する（Ｓ７０２）。
【００４０】
次に、制御部４０２は、一時記憶領域４０９に保持されている血糖計１０１の設定情報３０７に含まれている、血糖計音声フラグを確認する（Ｓ７０４）。血糖計音声フラグが論理の「真」であれば（Ｓ７０４のＹＥＳ）、次に制御部４０２は、血糖値管理装置１０７自身の設定情報４０６に含まれている、管理側音声フラグを確認する（Ｓ７０５）。管理側音声フラグが論理の「真」であれば（Ｓ７０５のＹＥＳ）、この時点で血糖計音声フラグと管理側音声フラグが共に「真」であるので、一時記憶領域４０９に格納されている設定情報３０７に含まれている、音声読み上げ設定に基づいて、測定値テーブル４０８に記録された測定データ３０５の必要な部分について、音声で読み上げるための処理を、音声読み上げ処理部４１０に行わせる（Ｓ７０６）。そして、一連の処理を終了する（Ｓ７０７）。
【００４１】
ステップＳ７０４で血糖計音声フラグが論理の「偽」である場合（Ｓ７０４のＮＯ）、或はステップＳ７０５で管理側音声フラグが論理の「偽」である場合（Ｓ７０５のＮＯ）は、音声読み上げ処理を行わずに、処理を終了する（Ｓ７０７）。
つまり、血糖値管理装置１０７は、血糖計１０１との通信処理の直後に、血糖計音声フラグ及び管理側音声フラグを確認して、共に「真」であれば音声読み上げ処理を行う。
【００４２】
本実施形態の血糖値管理プログラムは、患者個人の自宅に据え置かれるパソコンにて実行される以外に、病院の待合室に据え置かれるパソコンにて実行されることも想定して作られている。
血糖値管理プログラムが患者個人の自宅のパソコンで稼働する場合、血糖値管理装置１０７の設定情報４０６の管理側音声フラグは「真」に設定する。そして、血糖計１０１の設定情報３０７の血糖計音声フラグも「真」に設定する。このような状態において、患者が血糖計１０１を操作して血糖値を測定した後、血糖計１０１をＩＣカードリーダ１０８に近接させると、直ちに血糖計１０１と血糖値管理装置１０７との間で通信が始まり、測定データ３０５の音声読み上げが実行され、スピーカ４１２から血糖値が音声合成にて読み上げられる。
しかし、患者個人の自宅のパソコンで稼働する場合であっても、血糖計１０１の血糖計音声フラグが論理の「偽」であれば、音声読み上げ処理は行われない。
【００４３】
血糖値管理プログラムが病院の待合室のパソコンで稼働する場合、血糖値管理装置１０７の設定情報４０６の管理側音声フラグは「偽」に設定する。こうすることで、任意の患者の血糖計１０１をＩＣカードリーダ１０８に近接させた際、血糖計１０１の設定情報３０７の血糖計音声フラグが「真」に設定されていても、測定データ３０５の音声読み上げは実行されず、スピーカ４１２から血糖値は読み上げられない。したがって、患者のプライバシーは保護される。
【００４４】
本実施形態は、以下のような応用例が考えられる。
（１）血糖値管理装置１０７を、パソコンの代わりに携帯電話で代用することができる。現在市場に流通する携帯電話の場合、非接触の近距離データ通信の手段として、ＩＣカードインターフェースが埋め込まれているが、ＩＣカードリーダを備えていない。そこで、通信手段にＢｌｕｅＴｏｏｔｈ（登録商標）を用いることが好ましいであろう。この場合、血糖値管理プログラムを携帯電話の待ち受け用のアプリケーションプログラムとして構成し、待ち受け画面を表示しているときはＢｌｕｅＴｏｏｔｈ（登録商標）インターフェースをポーリングする構成になる。
【００４５】
本実施形態においては、血糖値管理装置１０７を開示した。
血糖計１０１を血糖値管理装置１０７のＩＣカードリーダ１０８に近接させると、血糖計１０１から測定データ３０５と設定情報３０７が血糖値管理装置１０７にダウンロードされる。通信が終了した直後、設定情報３０７に含まれている血糖計１０１の血糖計音声フラグと、血糖値管理装置１０７の設定情報４０６に含まれている管理側音声フラグが共に論理の「真」であれば、血糖値管理装置１０７の音声読み上げ処理部４１０が稼働し、血糖計１０１に記録されている患者の血糖値が、スピーカ４１２から読み上げられる。したがって、血糖計１０１に音声合成の機能を備えなくとも、視覚障害者にとって便利な血糖値測定環境を実現することができる。
更に、血糖値管理装置１０７の方にも管理側音声フラグを持たせることで、病院の待合室で血糖値管理装置１０７が稼働している場合における、患者のプライバシーを保護することができる。
【００４６】
以上、本発明の実施形態例について説明したが、本発明は上記実施形態例に限定されるものではなく、特許請求の範囲に記載した本発明の要旨を逸脱しない限りにおいて、他の変形例、応用例を含む。
【符号の説明】
【００４７】
１０１…血糖計、１０２…筐体、１０３…チップ装着部、１０４…ＬＣＤディスプレイ、１０５…電源スイッチ、１０６…操作ボタン、１０７…血糖値管理装置、１０８…ＩＣカードリーダ、１０９…ＵＳＢケーブル、２０２…ＣＰＵ、２０３…ＲＯＭ、２０４…ＲＡＭ、２０５…バス、２０６…フォトトランジスタ、２０７…Ａ／Ｄ変換器、２０８…ＲＴＣ、２０９…操作部、２１０…ＬＥＤ、２１１…Ｄ／Ａ変換器、２１２…不揮発性ストレージ、２１３…表示部、２１４…ＩＣカードインターフェース、３０１…制御部、３０２…試験紙、Ｒ３０３…分圧抵抗、３０４…測定処理部、３０５…測定データ、３０６…設定処理部、３０７…設定情報、３０８…通信処理部、４０１…操作部、４０２…制御部、４０３…設定処理部、４０４…他処理部、４０５…表示部、４０６…設定情報、４０７…通信処理部、４０８…測定値テーブル、４０９…一時記憶領域、４１０…音声読み上げ処理部、４１１…オーディオインターフェース、４１２…スピーカ
【図１】
0005480768.tif 000002
【図２】
0005480768.tif 000003
【図３】
0005480768.tif 000004
【図４】
0005480768.tif 000005
【図５】
0005480768.tif 000006
【図６】
0005480768.tif 000007
【図７】
0005480768.tif 000008